(57)【要約】【課題】壁際の塵埃の吸引能力が高く、掃除のときにレバー等の操作の手間が不要で、部品点数の少ない電気掃除機用吸込み具及びこれを備えた電気掃除機を提供する。【解決手段】回転ブラシ９と、回転ブラシ９を回転させる駆動装置と、塵埃を吸引する吸込み口１５を備え、吸込み口１５が回転ブラシ９の回転中心Ｐの後方に位置し、吸込み口１５の全体の高さが回転ブラシ９の回転中心Ｐより低く、吸込み具本体６の前方が開放され、回転ブラシ９のブラシ毛９ａが吸込み具本体６の前方に突出したものである。【選択図】        図１
2004222912.tif 000002
【特許請求の範囲】
【請求項１】
回転ブラシと、該回転ブラシを回転させる駆動装置と、塵埃を吸引する吸込み口とを備えた電気掃除機用吸込み具において、
前記吸込み口が前記回転ブラシの回転中心の後方に位置し、前記吸込み口の全体の高さが前記回転ブラシの回転中心より低く、吸込み具本体の前方が開放され、前記回転ブラシのブラシ毛が前記吸込み具本体の前方に突出していることを特徴とする電気掃除機用吸込み具。
【請求項２】
前記吸込み口に繋がる風路が前記吸込み口に向かって広がって形成されたことを特徴とする請求項１記載の電気掃除機用吸込み具。
【請求項３】
回転ブラシと、該回転ブラシを回転させる駆動装置と、塵埃を吸引する吸込み口とを備えた電気掃除機用吸込み具において、
前記吸込み口が前記回転ブラシの回転中心の後方に位置し、前記吸込み口に繋がる風路が前記吸込み口に向かって広がって形成されており、吸込み具本体の前方が開放され、前記回転ブラシのブラシ毛が前記吸込み具本体の前方に突出していることを特徴とする電気掃除機用吸込み具。
【請求項４】
請求項１〜３のいずれかに記載の電気掃除機用吸込み具を備えた電気掃除機。
【発明の詳細な説明】
【０００１】
【発明の属する技術分野】
本発明は電気掃除機用吸込み具及びこれを備えた電気掃除機に関し、更に詳しくは壁際の塵埃の吸引能力の高い電気掃除機用吸込み具及びこれを備えた電気掃除機に関する。
【０００２】
【従来の技術】
従来の電気掃除機用吸込み具では、回転ブラシの前面が電気掃除機用吸込み具本体のケースで覆われており、壁際の掃除をするときに回転ブラシの前面にあるケースのために回転ブラシを壁に近接させることができず、壁際の塵埃を吸引することができないという問題点があった。
【０００３】
上記の問題を解決するため、従来の電気掃除機用の吸込み口体では、吸込み口本体の下面部と前面部を開口し、回転ブラシのブラシ毛を吸込み口本体の前面部から突出させて、吸込み口本体の前面部に回転ブラシを覆うように回動板を設けたものがあった。この回動板は手動で開閉することができ、床面を掃除するときは回転ブラシの前面を覆うようにして吸塵性能を高め、壁際を掃除するときは回転ブラシの上側に来るようにしてブラシ毛を吸込み口本体の前面部から突出させるようにするものであった（例えば、特許文献１参照）。なお、吸込み口体とは本発明の吸込み具に相当するものである。
【０００４】
【特許文献１】
実開平３−９４９号公報（第６７９頁、図１、図２）
【０００５】
【発明が解決しようとする課題】
従来の電気掃除機用の吸込み口体では（例えば、特許文献１参照）、壁際の塵埃を吸引することができないという問題点を解決するために、手動で開閉できる回動板を設けている。しかし、壁際を掃除するときは回動板を上げて、床面を掃除するときは回動板を下げなければならず手間がかかるという問題点があった。
また、回動板や回動板を開閉するレバー等を設けなければならず、部品点数が多くなりコストが高くなるという問題点があった。
更に、回動板の周りには砂ゴミ等が侵入しやすいため、回動板が動きにくくなるという問題点があった。
【０００６】
本発明は、壁際の塵埃の吸引能力が高く、掃除のときにレバー等の操作の手間が不要で、部品点数の少ない電気掃除機用吸込み具及びこれを備えた電気掃除機を提供することを目的とする。
【０００７】
【課題を解決するための手段】
本発明に係る電気掃除機用吸込み具は、回転ブラシと、該回転ブラシを回転させる駆動装置と、塵埃を吸引する吸込み口とを備え、吸込み口が回転ブラシの回転中心の後方に位置し、吸込み口の全体の高さが回転ブラシの回転中心より低く、吸込み具本体の前方が開放され、回転ブラシのブラシ毛が吸込み具本体の前方に突出しているものである。
【０００８】
【発明の実施の形態】
実施形態１．
図５は本発明の実施形態１に係る電気掃除機の全体を示す斜視図である。電気掃除機本体１の内部には、電動送風機、電力制御基板、コードリール等（図示せず）が内蔵されている。また、電気掃除機本体１の内部の前面側には電動送風機によって吸引された塵埃を集積するための集塵室（図示せず）が設けられている。
電気掃除機本体１の前面にはホース２が接続されており、ホース２の他端には取っ手部３、パイプ４及びパイプ５が接続されている。取っ手部３には電気掃除機を使用するときに使用者が握るための取っ手が設けられ、取っ手部３の表面には電気掃除機本体１内部の電動送風機の回転の強弱を切り替えるための操作部３ａが備えられている。
なお、本実施形態１ではパイプが２本連結されているが、パイプ４又はパイプ５のいずれか１本でもよい。
【０００９】
パイプ５の先端には電気掃除機用吸込み具３０が着脱自在に接続されている。
電気掃除機用吸込み具３０は、吸込み具本体６、エルボ７、カップリング８、回転ブラシ９からなり、エルボ７をパイプ５に挿入することによってパイプ５と接続されている。電気掃除機用吸込み具３０の詳細は後述の図１において説明する。吸込み具本体６には、回転ブラシを回転させる駆動装置であるモータ（図示せず）が内蔵されており、ベルト、ギア等で減速されて回転ブラシ９に伝達されて、回転ブラシ９が所定の回転数で回転するようになっている。また、モータに電力を供給するためにホース２、取っ手部３、パイプ４及びパイプ５に電線（図示せず）が配設されており、モータに供給する電力は操作部３ａを操作することによって制御できるようになっている。
【００１０】
図１は本発明の実施形態１に係る電気掃除機用吸込み具３０の横断面図であり、図２はこの電気掃除機用吸込み具３０を上側から見たときの断面の模式図である。この電気掃除機用吸込み具３０は、図１に示すようにエルボ７、カップリング８、吸込み具本体６、回転ブラシ９からなっている。吸込み具本体６は、下本体ケース１０、上本体ケース１１及び下本体カバー１２で外形が形成されており、下本体ケース１０には後車輪１３が取り付けられている。なお、下本体カバー１２は下本体ケース１０と一体に形成してもよい。カップリング８は下本体ケース１０に挟持されており、カップリング８と吸込み具本体６とのなす角度が変えられるようになっている。また、カップリング８の内部の空間及び下本体ケース１０と下本体カバー１２で挟まれた空間は、吸収された塵埃を電気掃除機本体１へ搬送するための風路８ａになっている。
【００１１】
下本体ケース１０の前面側には回転ブラシ９を収納するためのロータリー室１４が形成されており、回転ブラシ９は下本体ケース１０に着脱自在に取り付けられている。回転ブラシ９は繊維等からなるブラシ毛９ａと軸９ｂからなり回転中心Ｐを中心として回転する。回転ブラシ９の回転中心Ｐの後方には、下本体ケース１０と下本体カバー１２によって吸込み口１５が形成されており、吸込み口１５の床面Ｆからの高さは一番高いところでも回転中心Ｐよりも低くなっている。
図１では、リブ１６が設けられた部分が回転中心Ｐよりも低くなっており、吸込み口１５の全体の高さが回転ブラシ９の回転中心Ｐよりも低く形成されている。リブ１６は下本体ケース１０のロータリー室１４側にブラシ毛９ａと当接するように設けられており、回転ブラシ９のブラシ毛９ａの毛足を整えるほか、ブラシ毛９ａに掻き上げられた塵埃が吸込み口１５に吸引されやすくする作用がある。なお、リブ１６は吸込み口１５付近に設けるのが望ましい。
【００１２】
吸込み具本体６の前方の先端部で、ロータリー室の上方には、バンパー１７が上本体ケース１１と下本体ケース１０に挟持されて取り付けられている。バンパー１７は、例えばポリ塩化ビニル等の軟質部材で出来ており、吸込み具本体６が壁等にぶつかったときに回転ブラシ９や吸込み具本体６が損傷しないようになっている。バンパー１７の下方にはブラシ毛９ａと当接するように突起１７ａが設けられており塵埃がロータリー室１４の前方から飛び出すのを防ぐようになっている。なお、バンパー１７は上本体ケース１１又は下本体ケース１０のいずれか一方に取り付けてもよい。
【００１３】
吸込み具本体６は、ロータリー室１４の部分で前方に開放されており、ロータリー室１４に取り付けられた回転ブラシ９のブラシ毛９ａは吸込み具本体６の開放された部分から、バンパー１７を含めた吸込み具本体６の前方に突出するようになっている。また、ブラシ毛９ａは、吸込み具本体６を壁と床面の隅に押しつけたときには、隅の部分まで届くようになっている。なお、吸込み具本体６を壁に押しつけたときに回転ブラシ９の軸９ｂが損傷しないように、軸９ｂがバンパー１７より若干後方になるようにするのが望ましい。
また、ブラシ毛９ａは床面と接するようになっているが、軸９ｂは床面を傷つけないように床面から１ミリ以上の隙間ができるようになっている。
【００１４】
下本体カバー１２の下部には床面Ｆと当接するようにスパチュラ１８が取り付けられている。スパチュラ１８は吸込み口１５の後方に位置し、横方向（紙面と垂直方向）の幅はほぼ回転ブラシ９の横幅と等しくなっている。また、スパチュラ１８は床面を傷つけないようにポリ塩化ビニル等の軟質部材でできている。このスパチュラ１８により、ブラシ毛９ａによってはじかれた塵埃が後方に漏れるのを防ぎ、また床面の掃除のときに吸込み口１５からの吸引力を増すことができる。
【００１５】
上記の電気掃除機用吸込み具３０を備えた電気掃除機で絨毯等を掃除するときは、まず操作部３ａを操作して電気掃除機本体１の電動送風機に通電して吸込み口１５から塵埃の吸引を開始し、それと連動するか又は操作部３ａを別に操作することによって回転ブラシ９の回転を開始する。回転ブラシ９のブラシ毛９ａによって後方にはじかれた塵埃は、吸込み口１５から吸引され風路８ａとエルボ７を通過して電気掃除機本体１に集積される。
【００１６】
本実施形態１に係る電気掃除機用吸込み具３０では、吸込み口１５が回転ブラシ９の回転中心Ｐの後方に位置しているため、塵埃を効率よく吸引することができ、吸込み口１５の全体の高さが回転ブラシ９の回転中心Ｐよりも低くなっているため床面上の塵埃の吸塵性能が高くなる。また、吸込み具本体６の前方が開放され、ブラシ毛９ａが吸込み具本体６の前方に突出しているため壁際の塵埃も容易に掻き取ることができる。さらに、このような構成にすることによって回動板等の部品を設ける必要がなく、掃除の時の手間が省け、生産コストを抑えることができる（例えば、特許文献１参照）。
【００１７】
また本実施形態１では、スパチュラ１８を取り付けたことにより、ブラシ毛９ａによってはじかれた塵埃が後方に漏れるのを防ぎ、また床面の掃除のときに吸込み口１５からの吸引力を増すことができる。さらに、バンパー１７の下方にはブラシ毛９ａと当接するように突起１７ａが設けられているため塵埃がロータリー室１４の前方から飛び出すのを防ぐことができる。また、リブ１６が下本体ケース１０のロータリー室１４側にブラシ毛９ａと当接するように設けられているため、回転ブラシ９のブラシ毛９ａの毛足を整えるほか、ブラシ毛９ａに掻き上げられた塵埃が吸込み口１５に吸引されやすくなる。
【００１８】
実施形態２．
図３及び図４は本発明の実施形態２に係る電気掃除機用吸込み具３０を上側から見たときの断面の例を示す模式図である。図３の例では、吸込み口１５に繋がる風路８ａが吸込み口１５に向かって扇状に広がって形成されている。また図４の例では、吸込み口１５に繋がる風路８ａが、吸込み口１５の手前で吸込み口１５に向かって広がって形成されており、吸込み口の横方向の幅がほぼ回転ブラシ９と同じになっている。その他の電気掃除機用吸込み具及び電気掃除機全体の構成は、実施形態１の場合と同様である。
【００１９】
本実施形態２では、図３に示すように吸込み口１５に繋がる風路８ａが吸込み口１５に向かって広がって形成されているため、回転ブラシ９のブラシ毛９ａによってはじき飛ばされた塵埃が広い範囲で吸引されるため吸塵性能を高めることができる。また図４のように吸込み口１５の横方向の幅を回転ブラシ９とほぼ同じにすれば、さらに広い範囲の塵埃をスムーズに吸引することができる。
【００２０】
【発明の効果】
以上のように本発明によれば、吸込み口が回転ブラシの回転中心の後方に位置しているため、塵埃を効率よく吸引することができ、吸込み口の全体の高さが回転ブラシの回転中心よりも低くなっているため床面上の塵埃の吸塵性能が高くなる。また、吸込み具本体の前方が開放され、ブラシ毛が吸込み具本体の前方に突出しているため壁際の塵埃も容易に掻き取ることができる。さらに、このような構成にすることによって回動板等の部品を設ける必要がなく、掃除の時の手間が省け、生産コストを抑えることができる。
【図面の簡単な説明】
【図１】本発明の実施形態１に係る電気掃除機用吸込み具の横断面図である。
【図２】本発明の実施形態１に係る電気掃除機用吸込み具を上側から見たときの断面の模式図である。
【図３】本発明の実施形態２に係る電気掃除機用吸込み具を上側から見たときの断面の一例を示す模式図である。
【図４】本発明の実施形態２に係る電気掃除機用吸込み具を上側から見たときの断面の他の例を示す模式図である。
【図５】本発明の実施形態１に係る電気掃除機の全体を示す斜視図である。
【符号の説明】
１  電気掃除機本体、２  ホース、３  取っ手部、３ａ  操作部、４  パイプ、５  パイプ、６  吸込み具本体、７  エルボ、８  カップリング、８ａ  風路、９  回転ブラシ、９ａ  ブラシ毛、９ｂ  軸、１０  下本体ケース、１１  上本体ケース、１２  下本体カバー、１３  後車輪、１４  ロータリー室、１５  吸込み口、１６  リブ、１７  バンパー、１７ａ  突起、１８  スパチュラ。
【図１】
2004222912.tif 000003
【図２】
2004222912.tif 000004
【図３】
2004222912.tif 000005
【図４】
2004222912.tif 000006
【図５】
2004222912.tif 000007